(57)【要約】      （修正有）【課題】利用者の利便性を向上できる電子機器およびプログラムを提供する。【解決手段】電子機器は、利用者による操作を受け付ける入力部１０３と、ストップウォッチ計時とタイマー計時とを連動して開始するか否かを利用者が入力部１０３を操作した結果に応じて決定する制御部１０２とを備え、制御部１０２は、ストップウォッチ計時を行うクロノモード、およびタイマー計時を行うタイマーモードのうち少なくとも１つの動作モードにおいて、ストップウォッチ計時と前記タイマー計時とを連動して開始するか否かを利用者が入力部１０３を操作した結果に応じて決定する。【選択図】図２
2014126393.tif 000002
【特許請求の範囲】
【請求項１】
利用者による操作を受け付ける入力部と、
ストップウォッチ計時とタイマー計時とを連動して開始するか否かを前記利用者が前記入力部を操作した結果に応じて決定する制御部と、
を備えることを特徴とする電子機器。
【請求項２】
前記制御部は、
前記ストップウォッチ計時を行うクロノモード、および前記タイマー計時を行うタイマーモードのうち少なくとも１つの動作モードにおいて、前記ストップウォッチ計時と前記タイマー計時とを連動して開始するか否かを利用者が入力部を操作した結果に応じて決定する
ことを特徴とする請求項１に記載の電子機器。
【請求項３】
前記制御部は、
前記ストップウォッチ計時と前記タイマー計時とを連動して停止するか否かを利用者が入力部を操作した結果に応じて決定する
ことを特徴とする請求項１または請求項２に記載の電子機器。
【請求項４】
前記制御部は、
前記ストップウォッチ計時と前記タイマー計時とを連動して動作させるように前記利用者により設定されたとき、前記タイマー計時が行われている場合、前記タイマー計時をリセットする
ことを特徴とする請求項１から請求項３のいずれか１項に記載の電子機器。
【請求項５】
前記制御部は、
前記ストップウォッチ計時と前記タイマー計時とを連動して動作させたとき、前記タイマー計時が行われている場合、前記タイマー計時をリセットする
ことを特徴とする請求項１から請求項４のいずれか１項に記載の電子機器。
【請求項６】
前記制御部は、
前記ストップウォッチ計時と前記タイマー計時とを連動して動作させる場合に、前記タイマー計時を前記ストップウォッチ計時が終了するまで繰り返して行う
ことを特徴とする請求項１から請求項５のいずれか１項に記載の電子機器。
【請求項７】
前記制御部は、
前記タイマー計時を行う回数を前記利用者が前記入力部を操作した結果に応じて制御する
ことを特徴とする請求項６に記載の電子機器。
【請求項８】
前記制御部は、
前記ストップウォッチ計時と前記タイマー計時とを連動して動作させる場合に、前記タイマー計時の開始または前記タイマー計時の終了を、ラップタイム計時のためのラップ操作に非連動に制御する
ことを特徴とする請求項１から請求項６のいずれか１項に記載の電子機器。
【請求項９】
前記制御部は、
前記ラップ操作がなされる前に前記タイマー計時が終了した場合、前記ラップ操作がなされた際に新たにタイマーの計時を開始するように制御する
ことを特徴とする請求項８に記載の電子機器。
【請求項１０】
前記制御部は、
ラップタイム計時のためのラップ操作がなされた際に前記タイマー計時が継続している場合、計時を継続しているタイマー計時を停止し、新たにタイマーの計時を開始するように制御する
ことを特徴とする請求項１から請求項８のいずれか１項に記載の電子機器。
【請求項１１】
利用者による操作を受け付ける入力部を備える電子機器のコンピュータに実行させるためのプログラムであって、
ストップウォッチ計時とタイマー計時とを連動して開始するか否かを利用者が入力部を操作した結果に応じて制御する制御手順
を実行させるためのプログラム。
【発明の詳細な説明】
【技術分野】
【０００１】
本発明は、電子機器およびプログラムに関する。
【背景技術】
【０００２】
時計動作のモード以外に、ストップウォッチ動作のモード、アラーム動作のモード、タイマー動作のモード等、複数の動作モードを有する電子時計がある。このように複数の動作モードを有している電子時計では、利用者は、使用する動作モードを電子時計が有するスイッチを操作して選択する。しかしながら、動作モードが多い場合、利用者は、使用したい動作モードを呼び出すために、スイッチを何度も操作する必要がある。
【０００３】
例えば特許文献１に記載の技術では、時計動作のモード以外に、ストップウォッチ動作のモード、目標ラップタイムを入力または確認するためのターゲットモード等を有している。特許文献１に記載の技術では、モードセレクトスイッチを利用者が押す毎に、ストップウォッチ動作のモードとターゲットモードとがサイクリックに切り替わる。特許文献１に記載の技術では、ストップウォッチ動作のモードにおいて、計測の開始、計測の終了、ラップタイムの計測などが行われる。特許文献１に記載の技術では、ターゲットモードにおいて、ターゲット値の変更、ラップタイムを記憶させるメモリの選択などが行われる。
【先行技術文献】
【特許文献】
【０００４】
【特許文献１】特開平９−７２９７３号公報
【発明の概要】
【発明が解決しようとする課題】
【０００５】
しかしながら、従来の技術では、ストップウォッチ動作のモードにおいてタイマー動作のモードに関する操作を行いたい場合、モードセレクトスイッチを押してストップウォッチ動作のモードからタイマー動作のモードに切り替える必要があった。このため、特許文献１の技術は、利用者にとって利便性が悪かった。
【０００６】
本発明は、上記の事情に鑑み成されたものであって、利用者の利便性を向上できる電子機器およびプログラムを提供することを目的とする。
【課題を解決するための手段】
【０００７】
上記目的を達成するため、本発明の一態様に係る電子機器は、利用者による操作を受け付ける入力部と、ストップウォッチ計時とタイマー計時とを連動して開始するか否かを前記利用者が前記入力部を操作した結果に応じて決定する制御部と、を備えることを特徴としている。
【０００８】
また、本発明の一態様に係る電子機器において、前記制御部は、前記ストップウォッチ計時を行うクロノモード、および前記タイマー計時を行うタイマーモードのうち少なくとも１つの動作モードにおいて、前記ストップウォッチ計時と前記タイマー計時とを連動して開始するか否かを利用者が入力部を操作した結果に応じて決定するようにしてもよい。
【０００９】
また、本発明の一態様に係る電子機器において、前記制御部は、前記ストップウォッチ計時と前記タイマー計時とを連動して停止するか否かを利用者が入力部を操作した結果に応じて決定するようにしてもよい。
【００１０】
また、本発明の一態様に係る電子機器において、前記制御部は、前記ストップウォッチ計時と前記タイマー計時とを連動して動作させるように前記利用者により設定されたとき、前記タイマー計時が行われている場合、前記タイマー計時をリセットするようにしてもよい。
【００１１】
また、本発明の一態様に係る電子機器において、前記制御部は、前記ストップウォッチ計時と前記タイマー計時とを連動して動作させたとき、前記タイマー計時が行われている場合、前記タイマー計時をリセットするようにしてもよい。
【００１２】
また、本発明の一態様に係る電子機器において、前記制御部は、前記ストップウォッチ計時と前記タイマー計時とを連動して動作させる場合に、前記タイマー計時を前記ストップウォッチ計時が終了するまで繰り返して行うようにしてもよい。
【００１３】
また、本発明の一態様に係る電子機器において、前記制御部は、前記タイマー計時を行う回数を前記利用者が前記入力部を操作した結果に応じて決定するようにしてもよい。
【００１４】
また、本発明の一態様に係る電子機器において、前記制御部は、前記ストップウォッチ計時と前記タイマー計時とを連動して動作させる場合に、前記タイマー計時の開始または前記タイマー計時の終了を、ラップタイム計時のためのラップ操作に非連動に制御するようにしてもよい。
【００１５】
また、本発明の一態様に係る電子機器において、前記制御部は、前記ラップ操作がなされる前に前記タイマー計時が終了した場合、前記ラップ操作がなされた際に新たにタイマーの計時を開始するように制御するようにしてもよい。
【００１６】
また、本発明の一態様に係る電子機器において、前記制御部は、ラップタイム計時のためのラップ操作がなされた際に前記タイマー計時が継続している場合、計時を継続しているタイマー計時を停止し、新たにタイマーの計時を開始するように制御するようにしてもよい。
【００１７】
上記目的を達成するため、本発明の一態様に係るプログラムは、利用者による操作を受け付ける入力部を備える電子機器のコンピュータに実行させるためのプログラムであって、ストップウォッチ計時とタイマー計時とを連動して開始するか否かを利用者が入力部を操作した結果に応じて制御する制御手順を実行させることを特徴としている。
【発明の効果】
【００１８】
本発明によれば、利用者の利便性を向上できる。
【図面の簡単な説明】
【００１９】
【図１】第１実施形態における電子機器の外形図の一例を示す図である。
【図２】第１実施形態における電子機器の構成を示したブロック図である。
【図３】第１実施形態における本実施形態におけるクロノモードにおける計時手順のフローチャートである。
【図４】第１実施形態におけるクロノモードにおいて電子機器が計測した計測時間の一例を示す図である。
【図５】第１実施形態におけるクロノモードにおける表示部の表示の一例である。
【図６】第１実施形態に係るストップウォッチ計時とタイマー計時が連動している場合の表示部の表示の一例である。
【図７】第２実施形態に係るタイマー動作がラップ操作に連動する場合の電子機器が計測した計測時間の一例を示す図である。
【図８】第２実施形態に係るタイマー動作がラップ操作に連動する場合の電子機器が計測した計測時間の一例を示す図である。
【図９】第３実施形態に係るラップ操作前に第１タイマーの計測が終了した場合、次のラップ操作に連動して新たにタイマーの計時を開始する手順のフローチャートである。
【図１０】第３実施形態に係るラップ操作前に第１タイマーの計測が終了したとき次のラップ操作に連動して新たにタイマーの計時を開始する場合の電子機器が計測した計測時間の一例を示す図である。
【図１１】第４実施形態に係るタイマー動作モードにおいてストップウォッチ計時とタイマー計時が連動している場合の表示部の表示の一例である。
【発明を実施するための形態】
【００２０】
［第１実施形態］
以下、本発明の実施の形態について図面を参照しながら説明する。また、以下の例では、電子機器の一例として、電子時計を例に説明する。
図１は、本実施形態における電子機器１の外形図の一例を示す図である。図１に示すように電子機器１は、本体１０、表示部１１、ボタンＡ〜Ｅを備えている。
【００２１】
本体１０は、電子機器１のケースであり、内部に制御基板を有している。
表示部１１は、時刻、動作モード、ストップウォッチの計測時間、ラップデータ、タイマー時刻等を表示する表示部である。本実施形態の電子機器１では、時計動作モード、クロノモード、タイマーに関するモード等を有している。ここで、クロノモードとは、ストップウォッチ計測の開始、ストップウォッチ計測の停止、ラップ計測、ラップ計測のリセット等を行うモードである。タイマーモードとは、タイマー計測を行い表示するモードである。
【００２２】
ボタンＡは、ストップウォッチ計測を開始する、またはストップウォッチ計測を終了するボタンである。ボタンＢは、動作モードを切り替えるボタンである。ボタンＣは、バックライトを所定時間、点灯させるボタンである。ボタンＤは、表示の切り替えを行うボタンである。ボタンＥは、ラップ計測及び計測したラップデータの保存を行うボタンである。
【００２３】
図２は、本実施形態における電子機器１の構成を示したブロック図である。図２に示すように、電子機器１は、発振部１０１、制御部１０２、入力部１０３、表示制御部１０４、表示部１１、第１タイマー１０５、第２タイマー１０６、記憶部１１０、及び報知部１１１を備える。
【００２４】
発振部１０１は、制御部１０２の動作用の基準クロック信号を発生させ、発生させた基準クロック信号を制御部１０２に出力する。また、発振部１０１が生成した基準クロック信号は、時計動作、タイマー動作、ストップウォッチ計時動作等にも使用される。
制御部１０２は、入力部１０３から入力された検出結果に応じて、動作モードの切り替え、各動作モードにおける動作の選択を行う。制御部１０２は、各動作モードの制御、及び電子機器１を構成する各電子回路要素の制御等を行う。なお、制御部１０２が行う制御については、図２〜図４を参照して後述する。
【００２５】
入力部１０３は、利用者からの指示の入力を受け付けるボタンＡ〜ボタンＥを含む。入力部１０３は、利用者からの指示の入力を検出し、検出した検出結果を制御部１０２に出力する。
表示制御部１０４は、制御部１０２からの制御信号に応答して、表示部１１に計時値、ラップタイム、スプリットタイム、及び時刻等を表示させる。
表示部１１は、計時値、ラップタイム、スプリットタイム、及び時刻等を表示する。表示部１１は、一例として液晶表示装置（ＬＣＤ）である。なお、ラップタイムとは、走行開始から走行終了において、ある区間を通過するのに要した時間である。また、スプリットタイムは、走行開始から、あるラップ操作を行った時までの途中経過時間である。
【００２６】
第１タイマー１０５は、制御部１０２から第１のタイマー時刻が入力される。第１タイマー１０５は、タイマーモードまたはクロノモードにおいて、制御部１０２からの計時開始指示に応じて、第１のタイマー時刻まで計時を行う。第１タイマー１０５は、計時時刻が第１のタイマー時刻に達したとき、タイマー時刻に達したことを示す情報を制御部１０２に出力する。
第２タイマー１０６は、制御部１０２から第２のタイマー時刻が入力される。第２タイマー１０６は、タイマーモードまたはクロノモードにおいて、制御部１０２からの計時開始指示に応じて、第２のタイマー時刻まで計時を行う。第２タイマー１０６は、計時時刻が第２のタイマー時刻に達したとき、タイマー時刻に達したことを示す情報を制御部１０２に出力する。
【００２７】
第３タイマー１０７は、クロノモードにおいて、制御部１０２からの計時開始指示、ラップ計測指示、計時停止指示に応じて計測開始時からの時間を計時し、計時した時間を制御部１０２に出力する。計時された各時間については、図３等を参照して後述する。
【００２８】
記憶部１１０には、制御部１０２が実行するプログラム、タイマー設定情報、ラップに関する情報、スプリットに関する情報等が記憶されている。ここで、タイマー設定情報とは、第１タイマー１０５が計時する第１のタイマー時刻、第２タイマー１０６が計時する第２のタイマー時刻、タイマー動作を繰り返す回数である。記憶部１１０は、例えばＲＡＭ（ランダム・アクセス・メモリ）である。
報知部１１１は、制御部１０２の制御により報知音を発する。報知部１１１は、例えばスピーカーである。
【００２９】
図３は、本実施形態におけるクロノモードにおける計時手順のフローチャートである。
（ステップＳ１）利用者は、ボタンＡ〜Ｅを操作して、タイマー設定を行う。なお、タイマー設定とは、第１タイマー１０５で計時する時間の設定、第２タイマー１０６で計時する時間の設定、タイマーによる計時を繰り返す回数の設定である。タイマー設定は、タイマーモードまたはクロノモードで行われる。制御部１０２は、利用者により設定されたタイマー設定をタイマー設定情報として記憶部１１０に記憶する。制御部１０２は、ステップＳ１終了後、処理をステップＳ２に進める。
（ステップＳ２）利用者は、ボタンＡ〜Ｅを操作して、タイマー動作をストップウォッチ動作と連動させる（連動ＯＮ）か連動させない（連動ＯＦＦ）かを、ボタンＡ〜Ｅを操作して選択する。制御部１０２は、利用者により選択された結果を連動情報として記憶部１１０に記憶させる。制御部１０２は、ステップＳ２終了後、処理をステップＳ３に進める。
【００３０】
（ステップＳ３）制御部１０２は、記憶部１１０に記憶されている連動情報を読み出し、連動ＯＮであるか否か判別する。制御部１０２は、連動ＯＮであると判別した場合（ステップＳ３；Ｙｅｓ）、ステップＳ４に進み、連動ＯＮではないと判別した場合（ステップＳ３；Ｎｏ）、ステップＳ６に進む。
（ステップＳ４）制御部１０２は、タイマー計時中であるか否か判別する。制御部１０２は、タイマー計時中であると判別した場合（ステップＳ４；Ｙｅｓ）、ステップＳ５に進み、タイマー計時中ではないと判別した場合（ステップＳ４；Ｎｏ）、ステップＳ６に進む。
（ステップＳ５）タイマー計時中であると判別した場合、制御部１０２は、計時しているタイマー動作をリセットする。制御部１０２は、ステップＳ５終了後、処理をステップＳ６に進める。
【００３１】
（ステップＳ６）制御部１０２は、ボタンＡが押下されストップウォッチの計時が開始されたことを検出する。制御部１０２は、ステップＳ６終了後、処理をステップＳ７に進める。
（ステップＳ７）制御部１０２は、記憶部１１０に記憶されている連動情報を読み出し、連動ＯＮであるか否か判別する。制御部１０２は、連動ＯＮであると判別した場合（ステップＳ７；Ｙｅｓ）、ステップＳ８に進み、連動ＯＮではないと判別した場合（ステップＳ７；Ｎｏ）、ステップＳ１０に進む。
（ステップＳ８）制御部１０２は、タイマー計時中であるか否か判別する。制御部１０２は、タイマー計時中であると判別した場合（ステップＳ８；Ｙｅｓ）、ステップＳ９に進み、タイマー計時中ではないと判別した場合（ステップＳ８；Ｎｏ）、ステップＳ１０に進む。
（ステップＳ９）タイマー計時中であると判別した場合、制御部１０２は、計時しているタイマー動作をリセットする。制御部１０２は、ステップＳ９終了後、処理をステップＳ１０に進める。
【００３２】
（ステップＳ１０）制御部１０２は、記憶部１１０に記憶されている連動情報を読み出し、連動ＯＮであるか否か判別する。制御部１０２は、連動ＯＮであると判別した場合（ステップＳ１０；Ｙｅｓ）、ステップＳ１１に進み、連動ＯＮではないと判別した場合（ステップＳ１０；Ｎｏ）、ステップＳ１２に進む。
【００３３】
（ステップＳ１１）連動ＯＮであると判別した場合、制御部１０２は、ストップウォッチの計時開始に連動して第１タイマー１０５の計時を開始する。なお、タイマーモードにおいて、すでにタイマー計時が開始されていた場合、制御部１０２は、動作しているタイマーを停止し、リセットした後、ストップウォッチの計時開始に連動して第１タイマー１０５の計時を開始する。制御部１０２は、ステップＳ１１終了後、処理をステップＳ１３に進める。
（ステップＳ１２）連動ＯＮではないと判別した場合、制御部１０２は、ストップウォッチの計時のみ開始する。制御部１０２は、ステップＳ１２終了後、処理をステップＳ１３に進める。
【００３４】
（ステップＳ１３）制御部１０２は、ボタンＥが押下され利用者によりラップ操作が行われたか否かを判別する。制御部１０２は、ラップ操作が行われたと判別した場合（ステップＳ１３：Ｙｅｓ）、ステップＳ１４に進み、ラップ操作が行われていないと判別した場合（ステップＳ１３：Ｎｏ）、ステップＳ１５に進む。
（ステップＳ１４）ラップ操作が行われたと判別した場合、制御部１０２は、ラップタイムを計時し、計時したラップタイムを記憶部１１０に記憶させ、表示制御部１０４を介して表示部１１に表示する。制御部１０２は、ステップＳ１４終了後、処理をステップＳ１５に進める。
【００３５】
（ステップＳ１５）制御部１０２は、第１タイマー１０５の計時が終了した（タイムアップしたともいう）か否かを判別する。制御部１０２は、第１タイマー１０５の計時が終了したと判別した場合（ステップＳ１５；Ｙｅｓ）、ステップＳ１６に進み、第１タイマー１０５の計時が終了していないと判別した場合（ステップＳ１５；Ｎｏ）、ステップＳ１３に戻る。
（ステップＳ１６）制御部１０２は、第２タイマー１０６の計時を開始する。制御部１０２は、ステップＳ１６終了後、処理をステップＳ１７に進める。
【００３６】
（ステップＳ１７）制御部１０２は、ボタンＥが押下され利用者によりラップ操作が行われたか否かを判別する。制御部１０２は、ラップ操作が行われたと判別した場合（ステップＳ１７：Ｙｅｓ）、ステップＳ１８に進み、ラップ操作が行われていないと判別した場合（ステップＳ１７：Ｎｏ）、ステップＳ１９に進む。
（ステップＳ１８）ラップ操作が行われたと判別した場合、制御部１０２は、ラップタイムを計時し、計時したラップタイムを記憶部１１０に記憶させ、表示制御部１０４を介して表示部１１に表示する。制御部１０２は、ステップＳ１８終了後、処理をステップＳ１９に進める。
【００３７】
（ステップＳ１９）制御部１０２は、第２タイマー１０６の計時が終了したか否かを判別する。制御部１０２は、第２タイマー１０６の計時が終了したと判別した場合（ステップＳ１９；Ｙｅｓ）、ステップＳ２０に進み、第２タイマー１０６の計時が終了していないと判別した場合（ステップＳ１９；Ｎｏ）、ステップＳ１７に戻る。
（ステップＳ２０）制御部１０２は、第１タイマー１０５の計時を開始する。制御部１０２は、ステップＳ２０終了後、処理をステップＳ２１に進める。
【００３８】
（ステップＳ２１）制御部１０２は、利用者がボタンＡを押下げて計時を終了したか否かを判別する。制御部１０２は、利用者がボタンＡを押下げて計時を終了したと判別した場合（ステップＳ２１；Ｙｅｓ）、第１タイマー１０５および第２タイマー１０６の計時を終了し、ストップウォッチの計時を終了する。制御部１０２は、利用者がボタンＡを押下げて計時を終了していないと判別した場合（ステップＳ２１；Ｎｏ）、ステップＳ１３に戻る。
【００３９】
なお、図３に示した例では、タイマー動作とストップウォッチ動作を連動される場合、ストップウォッチ動作の計時終了までタイマー動作を繰り返す（無限リピートともいう）。
タイマー動作を繰り返す回数は、選択可能であってもよい。利用者は、第１のタイマー時刻と第２のタイマー時刻とを交互に繰り返し計時する回数を、ボタンＡ〜Ｅを操作して選択するようにしてもよい。
この場合、制御部１０２は、図３に示した処理手順において、ステップＳ１４を以下のように行うようにしてもよい。
【００４０】
制御部１０２は、タイマー計時のカウント数に１を加算して記憶部１１０に記憶する。次に、制御部１０２は、記憶部１１０に記憶されているタイマー設定情報から繰り返し回数を抽出し、抽出した繰り返し回数とカウント数を比較する。次に、制御部１０２は、カウント数が抽出した繰り返し回数より多い場合、第１タイマー１０５の計時を行わない。制御部１０２は、カウント数が抽出した繰り返し回数より以内の場合、第１タイマー１０５の計時を開始する。制御部１０２は、ステップＳ１４終了後、処理をステップＳ１５に進める。
【００４１】
図４は、本実施形態におけるクロノモードにおいて電子機器１が計測した計測時間の一例を示す図である。図４において横軸は時刻を示す。また、図４に示した例では、１つのランについて計測されたデータの例を示している。なお、ランとは、走行開始（スタート）から走行終了（ゴール）までの走行である。
【００４２】
図４に示した例では、電子機器１の利用者は、クロノモードまたはタイマーモードにおいて、使用する第１のタイマー時刻Ｔ１と、第２のタイマー時刻Ｔ２を、ボタンＡ〜Ｅを操作して入力する。ここで利用者により入力される第１のタイマー時刻Ｔ１は、第１の所定の距離を走るときの目標時間であり、第２のタイマー時刻Ｔ２は、第２の所定の距離を走るときの目標時間である。図４において、第１のタイマー時刻Ｔ１は、時刻０から時刻ｔ2の期間であり、または時刻ｔ3から時刻ｔ6の期間である。また、第２のタイマー時刻Ｔ２は、時刻ｔ2から時刻ｔ3の期間であり、または時刻ｔ6から時刻ｔ7の期間である。
【００４３】
次に、利用者は、クロノモードにおいて、タイマー動作を連動させるか否かを、ボタンＡ〜Ｅを操作して選択する。以下の説明は、利用者がクロノモードにおいて、タイマー動作を連動させることを選択した場合の説明である。
【００４４】
時刻０において、ボタンＡが押下されたとき、制御部１０２は、第１タイマー１０５と第３タイマー１０７に計時開始指示を出力する。第１タイマー１０５は、制御部１０２から入力された計時開始指示に応じて、入力された第１のタイマー時刻Ｔ１までの計時を開始する。第３タイマー１０７は、制御部１０２から入力された計時開始指示に応じて、計時を開始する。黒で塗りつぶした逆三角形で示されている計測開始は、クロノモードにおいて、ボタンＡが押下され計時が開始された時刻０を示す。また、黒で塗りつぶした逆三角形で示されている計測停止は、クロノモードにおいて、ボタンＡが押下され計時が開始された時刻ｔnを示す。
【００４５】
時刻ｔ1において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻０から時刻ｔ1までのラップタイムＬＡＰ１として制御部１０２に出力する。逆三角形で示されているラップ操作１は、クロノモードにおいて、ボタンＥが押下された時刻ｔ1、ｔ4、ｔ5、ｔ8およびｔn-1を示す。なお、時刻ｔ1において、第１タイマー１０５は、計時を継続する。
制御部１０２は、第３タイマー１０７から入力されたラップタイムＬＡＰ１を記憶部１１０に記憶させ、表示制御部１０４を介して表示部１１に表示させる。
【００４６】
時刻ｔ2において、第１タイマー１０５は、入力された第１のタイマー時刻Ｔ１に達したことを示す情報を制御部１０２に出力する。制御部１０２は、第１タイマー１０５に対して計時停止指示を出力し、第２タイマー１０６に対して計時開始指示を出力する。第１タイマー１０５は、制御部１０２から入力された計時停止指示に応じて、計時を停止する。第２タイマー１０６は、計時開始指示に応じて、入力された第２のタイマー時刻Ｔ２までの計時を開始する。すなわち、制御部１０２は、第１タイマー１０５の計時終了後、ラップ操作に連動せずに、新たに第２タイマー１０６の計時を開始する。
制御部１０２は、第１タイマー１０５から入力された第１のタイマー時刻Ｔ１に達したことを示す情報に応じて、第１タイマー時刻Ｔ１に予め対応づけられている報知音を報知部１１１から出力する。
【００４７】
時刻ｔ3において、第２タイマー１０６は、入力された第２のタイマー時刻Ｔ２に達したことを示す情報を制御部１０２に出力する。制御部１０２は、第２タイマー１０６に対して計時停止指示を出力し、第１タイマー１０５に対して計時開始指示を出力する。第１タイマー１０５は、制御部１０２から入力された計時開始指示に応じて、入力された第１タイマー時刻Ｔ１までの計時を開始する。第２タイマー１０６は、計時停止指示に応じて、計時を停止する。すなわち、制御部１０２は、第２タイマー１０６の計時終了後、ラップ操作に連動せずに、新たに第１タイマー１０５の計時を開始する。
制御部１０２は、第２タイマー１０６から入力された第２のタイマー時刻Ｔ２に達したことを示す情報に応じて、第２タイマー時刻Ｔ２に予め対応づけられている報知音を報知部１１１から出力する。
【００４８】
時刻ｔ4において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻ｔ1から時刻ｔ4までのラップタイムＬＡＰ２として制御部１０２に出力する。なお、時刻ｔ4において、第１タイマー１０５は、計時を継続する。
制御部１０２は、第３タイマー１０７から入力されたラップタイムＬＡＰ２を記憶部１１０に記憶させ、表示制御部１０４を介して表示部１１に表示させる。
【００４９】
時刻ｔ4以降、制御部１０２は、ボタンＥが押下されたとき、第３タイマー１０７にラップ計測指示を出力する。
また、制御部１０２は、第１タイマー１０５から入力された第１のタイマー時刻Ｔ１に達したことを示す情報に応じて、第１タイマー１０５に対して計時停止指示を出力し、第２タイマー１０６に対して計時開始指示を出力する。制御部１０２は、第１タイマー１０５から入力された第１のタイマー時刻Ｔ１に達したことを示す情報に応じて、第１タイマー時刻Ｔ１に予め対応づけられている報知音を報知部１１１から出力する。
さらに、制御部１０２は、第２タイマー１０６から入力された第２のタイマー時刻Ｔ２に達したことを示す情報に応じて、第２タイマー１０６に対して計時停止指示を出力し、第１タイマー１０５に対して計時開始指示を出力する。制御部１０２は、第２タイマー１０６から入力された第２のタイマー時刻Ｔ２に達したことを示す情報に応じて、第２タイマー時刻Ｔ２に予め対応づけられている報知音を報知部１１１から出力する。
【００５０】
なお、図４に示した例では、２つの第１タイマー１０５と第２タイマー１０６を計測停止まで無限に繰り返す例を説明したが、２つのタイマー動作を繰り返す回数はこれに限られない。ボタンＡ〜Ｅの操作により、設定された回数分、２つのタイマー動作を繰り返すようにしてもよい。このように２つのタイマー動作の回数が設定されている場合、最後のタイムアップに対する報知音を、それまでの報知音とは異なる音にしてもよい。例えば、繰り返す回数が４回の場合、１回目から４回目までの各タイマー動作終了時の報知音と、５回目の報知音とを異なるようにしてもよい。
【００５１】
図４では、２つの第１タイマー１０５と第２タイマー１０６とがタイマー動作する例を説明したが、クロノモード時に連動させて用いるタイマーは１つでもよい。例えば、第１タイマー１０５のみを繰り返し動作させる例を、図４を用いて説明する。
時刻ｔ2において、第１タイマー１０５は、入力された第１のタイマー時刻Ｔ１に達したことを示す情報を制御部１０２に出力する。制御部１０２は、第１タイマー１０５に対して計時停止指示を出力する。第１タイマー１０５は、制御部１０２から入力された計時停止指示に応じて、計時を停止する。次に制御部１０２は、第１タイマー１０５に対して計時開始指示を出力する。次に第１タイマー１０５は、計時開始指示に応じて、入力された第１タイマー時刻Ｔ１までの計時を開始する。
タイマーを１つのみ用いる場合でも、利用者がボタンＡ〜Ｅの操作に応じて、タイマー動作を無限に繰り返す、または入力した回数繰り返すようにしてもよい。
【００５２】
図５は、本実施形態に係るクロノモードにおける表示部１１の表示の一例である。図５に示すように、クロノモード時、表示部１１には、スプリットタイム１１ａ、ラップタイム１１ｂ、ラップ操作回数１１ｃが表示される。
図５において、利用者がボタンＥを押下してラップ操作したことを検出した場合、制御部１０２は、ラップ操作された回数に合わせて、各表示を変更する。例えば、ラップ操作回数が２回目の場合、例えばラップ操作回数１１ｃは『ＬＡＰ−０２』である。
【００５３】
図６は、本実施形態に係るストップウォッチ計時とタイマー計時が連動している場合の表示部１１の表示の一例である。図６に示すように、ストップウォッチ計時とタイマー計時が連動している場合、表示部１１には、例えば第ｎタイマー（ｎは１または２）が計時している計時時刻１１ｄ、ラップタイム１１ｅが表示される。図６に示した例では、計時時刻１１ｄは、第１タイマー１０５の計時時刻を示している。
なお、第１タイマー１０５の計時が行われている場合、第ｎタイマーが計時している計時時刻１１ｄは、第１のタイマー時刻から減算して表示するようにしてもよい。また、図４に示したように、第１タイマー１０５の計時が終了した後、第ｎタイマーが計時している計時時刻１１ｄには、第２タイマー１０６が計時している時刻が表示されるようにしてもよい。
【００５４】
以上のように、本実施形態に係る電子機器１は、ストップウォッチ計時とタイマー計時とを連動して開始するか否かを利用者が入力部を操作した結果に応じて決定する制御部１０２を備える。
このような構成により、本実施形態に係る電子機器１は、タイマー動作を連動させるか否か利用者が入力部１０３を操作した結果に応じて選択された結果に応じて、ストップウォッチ計時とタイマー計時とを連動して開始させるか選択できる。この結果、本実施形態に係る電子機器１は、ストップウォッチ計時とタイマー計時とを連動して行うことができるので、利用者の利便性を向上することができる。
【００５５】
また、本実施形態に係る電子機器１において、制御部１０２は、ストップウォッチ計時を行うクロノモード、およびタイマー計時を行うタイマーモードのうち少なくとも１つの動作モードにおいて、ストップウォッチ計時とタイマー計時とを連動して開始するか否かを利用者が入力部を操作した結果に応じて決定する。また、本実施形態に係る電子機器１において、制御部は、ストップウォッチ計時とタイマー計時とを連動して停止するか否かを利用者が入力部を操作した結果に応じて決定する。
【００５６】
これにより、本実施形態に係る電子機器１は、クロノモードにおいて、タイマー動作を連動させるか否か選択された結果に応じて、タイマーを連動して動作、または非連動して動作させる。そして、本実施形態に係る電子機器１は、クロノモードとタイマー動作とを連動させることが利用者により選択された場合、計測開始を示すボタンが押下されたとき、ストップウォッチ計時用の第３タイマー１０７の計時開始に連動して、第１タイマー１０５の計時を開始させる。また、本実施形態に係る電子機器１は、クロノモードにおいて、ラップ操作を行うボタンが押下されたとき、ラップタイムを計測し、第１タイマー１０５および第２タイマー１０６に対して、ストップ、リセット、ポーズ等の制御を行わない。すなわち、本実施形態に係る電子機器１では、クロノモードにおいて、ラップ操作にタイマー動作は連動しない。この結果、本実施形態に係る電子機器１によれば、ラップ操作によってタイマーの計測時間が変更されないので、タイマーの計測時刻として常に正しい時刻を表示することができるため、利用者の利便性を向上することができる。
【００５７】
また、本実施形態に係る電子機器１において、制御部１０２は、ストップウォッチ計時とタイマー計時とを連動して動作させるように利用者により設定されたとき、タイマー計時が行われている場合、タイマー計時をリセットする。
また、本実施形態に係る電子機器１において、制御部１０２は、ストップウォッチ計時とタイマー計時とを連動して動作させたとき、タイマー計時が行われている場合、タイマー計時をリセットする。
本実施形態に係る電子機器１は、クロノモードにおいてストップウォッチ計時が設定されたとき、または計時を開始するとき、すでにタイマー計時が開始されていてもタイマー計時をリセットさせるので、ストップウォッチ計時とタイマー計時とを連動させることができる。
【００５８】
また、本実施形態に係る電子機器１において、制御部１０２は、ストップウォッチ計時とタイマー計時とを連動して動作させる場合に、タイマー動作をストップウォッチ計時が終了するまで繰り返して行う。また、本実施形態に係る電子機器１において、制御部は、タイマー動作を行う回数を利用者が入力部を操作した結果に応じて制御する。
これにより、本実施形態に係る電子機器１は、ストップウォッチ計時とタイマー計時とを連動して動作させる場合、タイマー計時をストップウォッチ計時が終了するまで繰り返して計時させることができる。この結果、利用者が所定の距離を繰り返し走るトレーニングを行う場合等において、電子機器１は、ストップウォッチ計時が終了するまで、タイマー計時が終了する毎に自動的に報知するため、利用者の利便性を向上することができる。
【００５９】
また本実施形態に係る電子機器１において、制御部１０２は、ストップウォッチ計時とタイマー計時とを連動して動作させる場合に、タイマー計時の開始またはタイマー計時の終了を、ラップタイム計時のためのラップ操作に非連動に制御する。
これにより、本実施形態に係る電子機器１は、クロノモードにおいて、ラップ操作を行うボタンが押下されたとき、ラップタイムを計測し、第１タイマー１０５および第２タイマー１０６に対しては制御を行わない。そのため、電子機器１は、予め定められた第１タイマー時刻または第２タイマー時刻が終了する毎に自動的に報知することができる。
【００６０】
［第２実施形態］
第１実施形態では、タイマー動作がラップ操作に連動しない例を説明した。第２実施形態では、タイマー動作がラップ操作に連動する例を説明する。
図７は、本実施形態に係るタイマー動作がラップ操作に連動する場合の電子機器１が計測した計測時間の一例を示す図である。電子機器１の概略構造は、第１実施形態と同様である。
【００６１】
ステップＳ１〜Ｓ１２の処理は、第１実施形態と同様に行う。
（ステップＳ１０７）制御部１０２は、第１タイマー１０５の計時が終了したか否かを判別する。制御部１０２は、第１タイマー１０５の計時が終了したと判別した場合（ステップＳ１０７；Ｙｅｓ）、ステップＳ１０８に進み、第１タイマー１０５の計時が終了していないと判別した場合（ステップＳ１０７；Ｎｏ）、ステップＳ１０９に進む。
【００６２】
（ステップＳ１０８）第１タイマー１０５の計時が終了したと判別した場合、制御部１０２は、ボタンＥが押下され利用者によりラップ操作が行われたか否かを判別する。制御部１０２は、ラップ操作が行われたと判別した場合（ステップＳ１０８：Ｙｅｓ）、ステップＳ１１０に進み、ラップ操作が行われていないと判別した場合（ステップＳ１０８：Ｎｏ）、ステップＳ１１１に進む。
（ステップＳ１０９）第１タイマー１０５の計時が終了していないと判別した場合、制御部１０２は、ボタンＥが押下され利用者によりラップ操作が行われたか否かを判別する。制御部１０２は、ラップ操作が行われたと判別した場合（ステップＳ１０９：Ｙｅｓ）、ステップＳ１１０に進み、ラップ操作が行われていないと判別した場合（ステップＳ１０９：Ｎｏ）、ステップＳ１０７に戻る。
【００６３】
（ステップＳ１１０）ラップ操作が行われたと判別した場合、制御部１０２は、ラップタイムを計時し、計時したラップタイムを記憶部１１０に記憶させ、表示制御部１０４を介して表示部１１に表示する。制御部１０２は、ステップＳ１１０終了後、処理をステップＳ１１１に進める。
（ステップＳ１１１）制御部１０２は、第２タイマー１０６の計時を開始する。制御部１０２は、ステップＳ１１１終了後、処理をステップＳ１１２に進める。
【００６４】
（ステップＳ１１２）制御部１０２は、第２タイマー１０６の計時が終了したか否かを判別する。制御部１０２は、第２タイマー１０６の計時が終了したと判別した場合（ステップＳ１１２；Ｙｅｓ）、ステップＳ１１３に進み、第２タイマー１０６の計時が終了していないと判別した場合（ステップＳ１１２；Ｎｏ）、ステップＳ１１４に進む。
【００６５】
（ステップＳ１１３）第２タイマー１０６の計時が終了したと判別した場合、制御部１０２は、ボタンＥが押下され利用者によりラップ操作が行われたか否かを判別する。制御部１０２は、ラップ操作が行われたと判別した場合（ステップＳ１１３：Ｙｅｓ）、ステップＳ１１５に進み、ラップ操作が行われていないと判別した場合（ステップＳ１１３：Ｎｏ）、ステップＳ１１６に進む。
（ステップＳ１１４）第２タイマー１０６の計時が終了していないと判別した場合、制御部１０２は、ボタンＥが押下され利用者によりラップ操作が行われたか否かを判別する。制御部１０２は、ラップ操作が行われたと判別した場合（ステップＳ１１４：Ｙｅｓ）、ステップＳ１１５に進み、ラップ操作が行われていないと判別した場合（ステップＳ１１４：Ｎｏ）、ステップＳ１１２に戻る。
【００６６】
（ステップＳ１１５）ラップ操作が行われたと判別した場合、制御部１０２は、ラップタイムを計時し、計時したラップタイムを記憶部１１０に記憶させ、表示制御部１０４を介して表示部１１に表示する。制御部１０２は、ステップＳ１１５終了後、処理をステップＳ１１６に進める。
（ステップＳ１１６）制御部１０２は、第１タイマー１０５の計時を開始する。制御部１０２は、ステップＳ１１６終了後、処理をステップＳ１１７に進める。
【００６７】
（ステップＳ１１７）制御部１０２は、利用者がボタンＡを押下げて計時を終了したか否かを判別する。制御部１０２は、利用者がボタンＡを押下げて計時を終了したと判別した場合（ステップＳ１１７；Ｙｅｓ）、第１タイマー１０５および第２タイマー１０６の計時を終了し、ストップウォッチの計時を終了する。制御部１０２は、利用者がボタンＡを押下げて計時を終了していないと判別した場合（ステップＳ１１７；Ｎｏ）、ステップＳ１０７に戻る。
【００６８】
図７に示した例では、タイマー動作とストップウォッチ動作を連動される場合、ストップウォッチ動作の計時終了までタイマー動作を繰り返す例を説明したが、第１実施形態と同様にタイマー動作を繰り返す回数は、選択可能であってもよい。
【００６９】
図８は、本実施形態に係るタイマー動作がラップ操作に連動する場合の電子機器１が計測した計測時間の一例を示す図である。図８に示した例では、電子機器１の利用者は、クロノモードまたはタイマーモードにおいて、使用する第１のタイマー時刻Ｔ１ａと、第２のタイマー時刻Ｔ２ａとを、ボタンＡ〜Ｅを操作して入力する。または、電子機器１の利用者は、クロノモードまたはタイマーモードにおいて、使用する第１のタイマー時刻Ｔ１ｂと、第２のタイマー時刻Ｔ２ｂを、ボタンＡ〜Ｅを操作して入力する。
【００７０】
次に、利用者は、第１のタイマー時刻Ｔ１ａと第２のタイマー時刻Ｔ２ａとを交互に繰り返し計時する回数を、ボタンＡ〜Ｅを操作して選択する。または、利用者は、第１のタイマー時刻Ｔ１ｂと第２のタイマー時刻Ｔ２ｂとを交互に繰り返し計時する回数を、ボタンＡ〜Ｅを操作して選択する。次に、利用者は、クロノモードにおいて、タイマー動作を連動させるか否かを、ボタンＡ〜Ｅを操作して選択する。以下の説明は、利用者がクロノモードにおいて、タイマー動作を連動させることを選択した場合の説明である。
まず、ラップ操作前に第１タイマーの計測が終了した場合、またはラップ操作前に第２タイマーの計測が終了した場合について説明する。
【００７１】
時刻０において、ボタンＡが押下されたとき、制御部１０２は、第１タイマー１０５と第３タイマー１０７に計時開始指示を出力する。第１タイマー１０５は、制御部１０２から入力された計時開始指示に応じて、入力された第１タイマー時刻Ｔ１ａまでの計時を開始する。第３タイマー１０７は、制御部１０２から入力された計時開始指示に応じて、計時を開始する。
【００７２】
時刻ｔ11において、第１タイマー１０５は、入力された第１のタイマー時刻Ｔ１ａに達したことを示す情報を制御部１０２に出力する。制御部１０２は、第１タイマー１０５に対して計時停止指示を出力し、第２タイマー１０６に対して計時開始指示を出力する。第１タイマー１０５は、制御部１０２から入力された計時停止指示に応じて、計時を停止しリセットする。第２タイマー１０６は、計時開始指示に応じて、入力された第２タイマー時刻Ｔ２ａまでの計時を開始する。
制御部１０２は、第１タイマー１０５から入力された第１のタイマー時刻Ｔ１ａに達したことを示す情報に応じて、第１タイマー時刻Ｔ１ａに予め対応づけられている報知音を報知部１１１から出力する。
すなわち、ラップ操作１が行われる前に第１タイマー１０５の計時が終了した場合、制御部１０２は、続けて新たに第２タイマー１０６の計時を開始する。
【００７３】
時刻ｔ12において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻０から時刻ｔ12までのラップタイムＬＡＰ１として制御部１０２に出力する。なお、時刻ｔ12において、第２タイマー１０６は、計時を継続する。
制御部１０２は、第３タイマー１０７から入力されたラップタイムＬＡＰ１を記憶部１１０に記憶させ、表示制御部１０４を介して表示部１１に表示させる。
【００７４】
時刻ｔ13において、第２タイマー１０６は、入力された第２のタイマー時刻Ｔ２ａに達したことを示す情報を制御部１０２に出力する。制御部１０２は、第２タイマー１０６に対して計時停止指示を出力し、第１タイマー１０５に対して計時開始指示を出力する。第２タイマー１０６は、制御部１０２から入力された計時停止指示に応じて、計時を停止しリセットする。第１タイマー１０５は、計時開始指示に応じて、入力された第１タイマー時刻Ｔ１ａまでの計時を開始する。
制御部１０２は、第２タイマー１０６から入力された第２のタイマー時刻Ｔ２ａに達したことを示す情報に応じて、第２タイマー時刻Ｔ２ａに予め対応づけられている報知音を報知部１１１から出力する。
すなわち、ラップ操作２が行われる前に第２タイマー１０６の計時が終了した場合、制御部１０２は、続けて新たに第１タイマー１０５の計時を開始する。
【００７５】
次に、ラップ操作前に第１タイマー１０５の計測が終了していない場合、ラップ操作前に第２タイマー１０６の計測が終了していない場合について説明する。
時刻０において、ボタンＡが押下されたとき、制御部１０２は、第１タイマー１０５と第３タイマー１０７に計時開始指示を出力する。第１タイマー１０５は、制御部１０２から入力された計時開始指示に応じて、入力された第１タイマー時刻Ｔ１ｂまでの計時を開始する。第３タイマー１０７は、制御部１０２から入力された計時開始指示に応じて、計時を開始する。
【００７６】
時刻ｔ12において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻０から時刻ｔ12までのラップタイムＬＡＰ１として制御部１０２に出力する。
時刻ｔ12において、制御部１０２は、第１タイマー１０５に対して計時停止指示を出力し、第２タイマー１０６に対して計時開始指示を出力する。第１タイマー１０５は、制御部１０２から入力された計時停止指示に応じて、計時を停止し、さらに計時をリセットする。第２タイマー１０６は、計時開始指示に応じて、入力された第２タイマー時刻Ｔ２ｂまでの計時を開始する。
すなわち、ラップ操作１が行われる前に第１タイマー１０５の計時が終了していない場合、制御部１０２は、第１タイマー１０５が計時中であっても計時を停止し、新たに第２タイマー１０６の計時を開始する。
【００７７】
時刻ｔ14において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻ｔ12から時刻ｔ14までのラップタイムＬＡＰ２として制御部１０２に出力する。
時刻ｔ14において、制御部１０２は、第２タイマー１０６に対して計時停止指示を出力し、第１タイマー１０５に対して計時開始指示を出力する。第２タイマー１０６は、制御部１０２から入力された計時停止指示に応じて、計時を停止し、さらに計時をリセットする。第１タイマー１０５は、計時開始指示に応じて、入力された第１タイマー時刻Ｔ１ｂまでの計時を開始する。
すなわち、ラップ操作１が行われる前に第２タイマー１０６の計時が終了していない場合、制御部１０２は、第２タイマー１０６が計時中であっても計時を停止し、新たに第１タイマー１０５の計時を開始する。
【００７８】
また図８では、２つの第１タイマー１０５と第２タイマー１０６とがタイマー動作する例を説明したが、クロノモード時に連動させて用いるタイマーは１つでもよい。例えば、第１タイマー１０５のみを繰り返し動作させる例を、図８を用いて説明する。
まず、ラップ操作前に第１タイマー１０５の計測が終了した場合、時刻ｔ11において、第１タイマー１０５は、入力された第１のタイマー時刻Ｔ１ａに達したことを示す情報を制御部１０２に出力する。制御部１０２は、第１タイマー１０５に対して計時停止指示を出力する。第１タイマー１０５は、制御部１０２から入力された計時停止指示に応じて、計時を停止しリセットする。次に、制御部１０２は、第１タイマー１０５に対して計時開始指示を出力する。第１タイマー１０５は、制御部１０２から入力された計時開始指示に応じて、入力された第１タイマー時刻Ｔ１ａまでの計時を開始する。
すなわち、制御部１０２は、第１タイマー１０５の計時終了後、新たに第１タイマー１０５の計時を開始する。
【００７９】
次に、ラップ操作前に第１タイマー１０５の計測が終了していない場合、ボタンＥが押下されたとき、制御部１０２は、第１タイマー１０５に対して計時停止指示を出力する。第１タイマー１０５は、制御部１０２から入力された計時停止指示に応じて、計時を停止し、計時をリセットする。次に、制御部１０２は、第１タイマー１０５に対して計時開始指示を出力する。第１タイマー１０５は、計時開始指示に応じて、入力された第１タイマー時刻Ｔ１ｂまでの計時を開始する。
すなわち、ラップ操作が行われる前に第１タイマー１０５の計時が終了していない場合、制御部１０２は、第１タイマー１０５が計時中であっても計時を停止して計時をリセットした後、新たに第１タイマー１０５の計時を開始する。
タイマーを１つのみ用いる場合でも、利用者がボタンＡ〜Ｅの操作に応じて、タイマー動作を無限に繰り返す、または入力した回数繰り返すようにしてもよい。
【００８０】
以上のように、本実施形態に係る電子機器１において、制御部１０２は、ラップ操作がなされた際に前記タイマー計時が継続している場合、計時を継続しているタイマー計時を停止し、他のタイマーの計時を開始するように制御する。
これにより、本実施形態に係る電子機器１は、クロノモードにおいて、ラップ操作を行うボタンが押下されたとき、ラップ操作時に第１タイマーの計測が終了していない場合、計時中のタイマーの計時を停止し、他のタイマーの計時を開始する。この結果、本実施形態に係る電子機器１は、ラップ操作時にタイマー計時が終了していない場合に計時しているタイマー動作を終了させた後、新たにタイマー動作を行うので、ラップタイムを計時する走行区間において、タイマーの計時を新たに開始できるので、利用者の利便性を向上することができる。
【００８１】
なお、タイマー動作がラップ操作に連動しない動作モードと、タイマー動作がラップ操作に連動する動作モードとは、利用者がボタンＡ〜Ｅを操作することにより選択できるようにしてもよい。
【００８２】
［第３実施形態］
第２実施形態では、ラップ操作前に第１タイマー１０５の計測が終了した場合、続けて新たにタイマーの計時を開始する例を説明した。本実施形態の電子機器１は、ラップ操作前に第１タイマー１０５の計測が終了した場合、次のラップ操作に連動して新たにタイマーの計時を開始する。電子機器１の概略構造は、第１実施形態と同様である。
図９は、本実施形態に係るラップ操作前に第１タイマー１０５の計測が終了した場合、次のラップ操作に連動して新たにタイマーの計時を開始する手順のフローチャートである。
【００８３】
ステップＳ１〜Ｓ１４の処理は、第１実施形態と同様に行う。
（ステップＳ２０９）制御部１０２は、第１タイマー１０５の計時が終了したか否かを判別する。制御部１０２は、第１タイマー１０５の計時が終了したと判別した場合（ステップＳ２０９；Ｙｅｓ）、ステップＳ２１１に進み、第１タイマー１０５の計時が終了していないと判別した場合（ステップＳ２０９；Ｎｏ）、ステップＳ２１０に進む。
（ステップＳ２１０）第１タイマー１０５の計時が終了していないと判別した場合、制御部１０２は、第１タイマー１０５の計時を停止し、リセットする。制御部１０２は、ステップＳ２１０終了後、処理をステップＳ２１１に進める。
【００８４】
（ステップＳ２１１）制御部１０２は、第２タイマー１０６の計時を開始する。制御部１０２は、ステップＳ２１１終了後、処理をステップＳ２１２に進める。
【００８５】
（ステップＳ２１２）制御部１０２は、ボタンＥが押下され利用者によりラップ操作が行われたか否かを判別する。制御部１０２は、ラップ操作が行われたと判別した場合（ステップＳ２１２：Ｙｅｓ）、ステップＳ２１３に進み、ラップ操作が行われていないと判別した場合（ステップＳ２１２：Ｎｏ）、ステップＳ２１４に進む。
（ステップＳ２１３）ラップ操作が行われたと判別した場合、制御部１０２は、ラップタイムを計時し、計時したラップタイムを記憶部１１０に記憶させ、表示制御部１０４を介して表示部１１に表示する。制御部１０２は、ステップＳ２１３終了後、処理をステップＳ２１４に進める。
【００８６】
（ステップＳ２１４）制御部１０２は、第２タイマー１０６の計時が終了したか否かを判別する。制御部１０２は、第２タイマー１０６の計時が終了したと判別した場合（ステップＳ２１４；Ｙｅｓ）、ステップＳ２１６に進み、第２タイマー１０６の計時が終了していないと判別した場合（ステップＳ２１４；Ｎｏ）、ステップＳ２１５に進む。
（ステップＳ２１５）第２タイマー１０６の計時が終了していないと判別した場合、制御部１０２は、第２タイマー１０６の計時を停止し、リセットする。制御部１０２は、ステップＳ２１５終了後、処理をステップＳ２１６に進める。
【００８７】
（ステップＳ２１６）制御部１０２は、タイマー計時のカウント数に１を加算して記憶部１１０に記憶する。次に、制御部１０２は、記憶部１１０に記憶されているタイマー設定情報から繰り返し回数を抽出し、抽出した繰り返し回数とカウント数を比較する。次に、制御部１０２は、カウント数が抽出した繰り返し回数より多い場合、第１タイマー１０５の計時を行わない。制御部１０２は、カウント数が抽出した繰り返し回数より以内の場合、第１タイマー１０５の計時を開始する。制御部１０２は、ステップＳ２１６終了後、処理をステップＳ２１７に進める。
【００８８】
（ステップＳ２１７）制御部１０２は、利用者がボタンＡを押下げて計時を終了したか否かを判別する。制御部１０２は、利用者がボタンＡを押下げて計時を終了したと判別した場合（ステップＳ２１７；Ｙｅｓ）、第１タイマー１０５および第２タイマー１０６の計時を終了し、ストップウォッチの計時を終了する。制御部１０２は、利用者がボタンＡを押下げて計時を終了していないと判別した場合（ステップＳ２１７；Ｎｏ）、ステップＳ７に戻る。
【００８９】
図１０は、本実施形態に係るラップ操作前に第１タイマー１０５の計測が終了したとき次のラップ操作に連動して他のタイマーの計時を開始する場合の電子機器１が計測した計測時間の一例を示す図である。
図１０に示した例では、電子機器１の利用者は、クロノモードまたはタイマーモードにおいて、使用する第１のタイマー時刻Ｔ１ｃと、第２のタイマー時刻Ｔ２ｃを、ボタンＡ〜Ｅを操作して入力する。
次に、利用者は、第１のタイマー時刻Ｔ１ｃと第２のタイマー時刻Ｔ２ｃとを交互に繰り返し計時する回数を、ボタンＡ〜Ｅを操作して選択する。次に、利用者は、クロノモードにおいて、タイマー動作を連動させるか否かを、ボタンＡ〜Ｅを操作して選択する。以下の説明は、利用者がクロノモードにおいて、タイマー動作を連動させることを選択した場合の説明である。
【００９０】
時刻０において、ボタンＡが押下されたとき、制御部１０２は、第１タイマー１０５と第３タイマー１０７に計時開始指示を出力する。第１タイマー１０５は、制御部１０２から入力された計時開始指示に応じて、入力された第１タイマー時刻Ｔ１ｃまでの計時を開始する。第３タイマー１０７は、制御部１０２から入力された計時開始指示に応じて、計時を開始する。
【００９１】
時刻ｔ101において、第１タイマー１０５は、入力された第１のタイマー時刻Ｔ１ｃに達したことを示す情報を制御部１０２に出力する。制御部１０２は、第１タイマー１０５に対して計時停止指示を出力する。第１タイマー１０５は、制御部１０２から入力された計時停止指示に応じて、計時をリセットする。
制御部１０２は、第１タイマー１０５から入力された第１のタイマー時刻Ｔ１ｃに達したことを示す情報に応じて、第１タイマー時刻Ｔ１ｃに予め対応づけられている報知音を報知部１１１から出力する。
【００９２】
時刻ｔ102において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻０から時刻ｔ102までのラップタイムＬＡＰ１として制御部１０２に出力する。
時刻ｔ102において、制御部１０２は、第２タイマー１０６に対して計時開始指示を出力する。第２タイマー１０６は、計時開始指示に応じて、入力された第２タイマー時刻Ｔ２ｃまでの計時を開始する。
すなわち、ラップ操作１が行われる前に第１タイマー１０５の計時が終了している場合、制御部１０２は、新たに第２タイマー１０６の計時をラップ操作に連動して開始する。なお、ラップ操作１が行われる前に第１タイマー１０５の計時が終了していない場合、制御部１０２は、第１タイマー１０５の計時を停止し、リセットする。そして、制御部１０２は、新たに第２タイマー１０６の計時を開始する。
【００９３】
時刻ｔ103において、第２タイマー１０６は、入力された第２のタイマー時刻Ｔ２ｃに達したことを示す情報を制御部１０２に出力する。制御部１０２は、第２タイマー１０６に対して計時停止指示を出力する。第２タイマー１０６は、制御部１０２から入力された計時停止指示に応じて、計時をリセットする。
制御部１０２は、第２タイマー１０６から入力された第２のタイマー時刻Ｔ２ｃに達したことを示す情報に応じて、第２タイマー時刻Ｔ２ｃに予め対応づけられている報知音を報知部１１１から出力する。
【００９４】
時刻ｔ104において、ボタンＥが押下されたとき、制御部１０２は、第３タイマー１０７にラップ計測指示を出力する。第３タイマー１０７は、制御部１０２から入力されたラップ計測指示が入力されたときの計時時刻を取得し、取得した計時時刻を時刻ｔ102から時刻ｔ104までのラップタイムＬＡＰ２として制御部１０２に出力する。
時刻ｔ104において、制御部１０２は、第１タイマー１０５に対して計時開始指示を出力する。第１タイマー１０５は、計時開始指示に応じて、入力された第１タイマー時刻Ｔ１ｃまでの計時を開始する。
すなわち、ラップ操作２が行われる前に第２タイマー１０６の計時が終了している場合、制御部１０２は、第１タイマー１０５の計時をラップ操作に連動して開始する。なお、ラップ操作２が行われる前に第２タイマー１０６の計時が終了していない場合、制御部１０２は、第２タイマー１０６の計時を停止し、リセットする。そして、制御部１０２は、新たに第１タイマー１０５の計時を開始する。
【００９５】
以上のように、本実施形態に係る電子機器１であって、制御部１０２は、ラップ操作がなされる前にタイマー計時が終了した場合、ラップ操作がなされた際に他のタイマーの計時を開始するように制御する。
これにより、本実施形態に係る電子機器１は、クロノモードにおいて、ラップ操作を行うボタンが押下される前に第１タイマー１０５の計時が終了した場合、ラップ操作がなされた際に第２タイマー１０６に対して計時を開始するよう制御する。この結果、本実施形態に係る電子機器１は、ラップ操作時に新たにタイマー動作を行うので、ラップタイムを計時する走行区間において、タイマーの計時を新たに開始できるので、利用者の利便性を向上することができる。
なお、第１実施形態で説明したタイマー動作がラップ操作に連動しない動作モードと、第２実施形態で説明したタイマー動作がラップ操作に連動する動作モードと、本実施形態で説明した動作モードとは、利用者がボタンＡ〜Ｅを操作することにより選択できるようにしてもよい。
【００９６】
図１０に示した例では、タイマー動作とストップウォッチ動作を連動される場合、ストップウォッチ動作の計時終了までタイマー動作を繰り返す例を説明したが、第１または第２実施形態と同様にタイマー動作を繰り返す回数は、選択可能であってもよい。
【００９７】
図１０では、２つの第１タイマー１０５と第２タイマー１０６とがタイマー動作する例を説明したが、クロノモード時に連動させて用いるタイマーは１つでもよい。例えば、第１タイマー１０５のみを繰り返し動作させる例を、図１０を用いて説明する。
時刻ｔ102において、ボタンＥが押下されたとき、制御部１０２は、第１タイマー１０５に対して計時開始指示を出力する。第１タイマー１０５は、計時開始指示に応じて、入力された第１タイマー時刻Ｔ１ｃまでの計時を開始する。
タイマーを１つのみ用いる場合でも、利用者がボタンＡ〜Ｅの操作に応じて、タイマー動作を無限に繰り返す、または入力した回数繰り返すようにしてもよい。
【００９８】
［第４実施形態］
第１〜第３実施形態では、クロノモードにおいて、ストップウォッチ動作とタイマー動作を連動させるか否かを利用者の操作に基づいて選択する例を説明したが、タイマー動作モードにて行うようにしてもよい。
【００９９】
タイマー動作モードにて、ストップウォッチ動作とタイマー動作を連動させる場合について、設定手順の一例を説明する。なお、電子機器１の概略構造は、第１実施形態と同様である。
電子機器１の利用者は、クロノモードまたはタイマーモードにおいて、使用する第１のタイマー時刻と、第２のタイマー時刻を、ボタンＡ〜Ｅを操作して入力する。
次に、利用者は、第１のタイマー時刻と第２のタイマー時刻とを交互に繰り返し計時する回数を、ボタンＡ〜Ｅを操作して選択する。次に、利用者は、タイマーモードにおいて、ストップウォッチ動作とタイマー動作を連動させるか否かを、ボタンＡ〜Ｅを操作して選択する。
【０１００】
図１１は、本実施形態に係るタイマー動作モードにおいてストップウォッチ計時とタイマー計時が連動している場合の表示部の表示の一例である。
図１１の左上の図に示すように、表示部１１には、上から順に第２のタイマー時刻１１ｆ、第１のタイマー時刻１１ｇ、第１タイマー１０５および第２タイマー１０６の繰り返し回数１１ｈが表示される。
【０１０１】
利用者によりラップ操作が行われたことが検出された場合、制御部１０２は、表示部１１の表示を図１１の左上の図の状態から、図１１の右上の図の状態に変更する。
図１１の右上の図に示すように、表示部１１には、上から順に第２のタイマー時刻１１ｆ、第１のタイマー時刻１１ｇ、ラップ操作回数１１ｉが表示される。
制御部１０２は、図１１の右上の図の状態を所定時間の間、表示した後、表示部１１の表示を図１１の右上の図の状態から、図１１の右下の図の状態に変更する。
図１１の右下の図に示すように、表示部１１には、上から順に第２のタイマー時刻１１ｆ、第１のタイマー時刻１１ｇ、ラップタイム１１ｊが表示される。
さらに制御部１０２は、図１１の右下の図の状態を所定時間の間、表示した後、表示部１１の表示を図１１の右下の図の状態から、図１１の右上の図の状態に変更する。
なお、図１１に示した表示部１１の表示例は一例であり、表示の順番、表示の位置等はこれに限られない。
【０１０２】
以上のように、本実施形態に係る電子機器１は、タイマー動作モードにて、ストップウォッチ動作とタイマー動作を連動させるか否かの選択を行えるようにした。この結果、本実施形態に係る電子機器１は、ストップウォッチ計時とタイマー計時とを連動して行うことができるので、利用者の利便性を向上することができる。
【０１０３】
なお、本実施形態では、電子機器１の例として電子時計を例に説明したが、電子機器１を、計時機能を有する装置に組み込んでもよい。計時機能を有する装置とは、例えば、料理用のタイマー、歩数計、運動のトレーニング装置、競技用の測定装置、時間的な変化を測定する測定器等である。
【０１０４】
なお、本発明における電子機器１の機能を実現するためのプログラムをコンピュータ読み取り可能な記録媒体に記録して、この記録媒体に記録されたプログラムをコンピュータシステムに読み込ませ、実行することにより電子機器１の制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１０５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１０６】
１…電子時計、１０…本体、１１…表示部、Ａ〜Ｅ…ボタン、１０１…発振部、１０２…制御部、１０３…入力部、１０４…表示制御部、１０５…第１タイマー、１０６…第２タイマー、１０７…第３タイマー、１１０…記憶部、１１１…報知部
【図１】
2014126393.tif 000003
【図２】
2014126393.tif 000004
【図３】
2014126393.tif 000005
【図４】
2014126393.tif 000006
【図５】
2014126393.tif 000007
【図６】
2014126393.tif 000008
【図７】
2014126393.tif 000009
【図８】
2014126393.tif 000010
【図９】
2014126393.tif 000011
【図１０】
2014126393.tif 000012
【図１１】
2014126393.tif 000013